(57)【要約】【課題】  調和空気の気流案内方向を可変とすると共に、吹出口内部のシャッター部の開閉で気流の吹出速度を調整でき、調和空気と室内空気とを効率よく混合可能な吹出口装置を提供する。【解決手段】  天井６０に横向きとして設けられる吹出口本体１０の内部に、この吹出口本体１０の内部流路下部を開閉するシャッター部２０を設けると共に、開口１２近傍に複数の案内羽根３０を傾動可能として配設し、さらにシャッター部２０上端の他方の開口１２寄り位置に仕切り部４０を設けて、シャッター部２０を閉止して気流速度を大きくすると、仕切り部４０がシャッター部２０の気流進行方向下流側に圧力の低い領域を生じさせ、気流の吹出方向を下方にずらしやすくすることから、各案内羽根を下に傾ける調整と合わせて、調和空気の気流を無理なく斜め下向きに吹出せ、特に暖房の場合に、暖気と室内空気との混合を効率よく進行させて暖房効果を高められる。【選択図】  図８
2019070451.tif 000002
【特許請求の範囲】
【請求項１】
空気調和対象空間の天井又は天井近傍に配設され、空気調和対象空間に調和空気を吹出す吹出口装置において、
調和空気が通過可能な横向きの内部流路を取囲んだ略箱状体として形成され、前記内部通路に通じる複数の開口を有して空気調和対象空間の天井近傍に設けられ、前記内部流路に通じる開口のうち一方の開口に調和空気を供給され、他方の開口から調和空気を空気調和対象空間へ吹出す吹出口本体と、
当該吹出口本体の内部に設けられ、前記内部流路の下側所定範囲を開閉可能とするシャッター部と、
前記吹出口本体の内部における前記他方の開口近傍部分に、前記内部流路を横断する傾動中心軸周りに傾動可能として配置される複数の案内羽根と、
前記吹出口本体内部で、前記シャッター部の上縁から前記他方の開口側に所定長さ連続し、且つ前記内部流路を横断して配設され、内部流路の所定範囲を上下に分ける略板状の仕切り部とを備えることを
特徴とする吹出口装置。
【請求項２】
前記請求項１に記載の吹出口装置において、
前記吹出口本体の内部流路における前記シャッター部より上側の流路部分に、当該流路部分を一部閉塞する抵抗体を設け、
前記上側の流路部分における前記抵抗体で閉塞されない開放部分の、上側の流路部分全体に対する大きさの割合を、シャッター部を開放した際のシャッター部における開放部分の、シャッター部全体に対する大きさの割合と一致させることを
特徴とする吹出口装置。
【請求項３】
前記請求項１又は２に記載の吹出口装置において、
前記案内羽根が、表面を曲面とされる略薄板状に形成されると共に、羽根横断面形状のうち、羽根の傾動中心軸から離れた少なくとも一方の端部における形状を、案内羽根が傾動して斜め向きとなった状態で、案内羽根に沿う気流を下方へ案内するように下向きに湾曲した形状とされることを
特徴とする吹出口装置。
【請求項４】
前記請求項１ないし３のいずれかに記載の吹出口装置において、
前記シャッター部が、前記吹出口本体の内部流路における前記シャッター部が存在する下側所定範囲部分の流路断面積を、シャッター部より上側の流路部分の流路断面積より大きくするように配設されることを
特徴とする吹出口装置。
【請求項５】
前記請求項１ないし４のいずれかに記載の吹出口装置において、
前記仕切り部における前記他方の開口寄りの所定範囲部分が、仕切り部の他部分に対し傾斜する形状とされ、
前記仕切り部の傾斜部分の傾斜角度が、傾斜部分の先端を前記他方の開口の下端部側に向けるように設定されることを
特徴とする吹出口装置。
【請求項６】
空気調和対象となる室内空間の天井又は天井近傍に配設されて、室内空間に調和空気を吹出す吹出口装置における、吹出状態の制御方法において、
前記吹出口装置が、
調和空気が通過可能な内部流路を取囲んだ略箱状体として形成され、前記内部通路に通じて調和空気を吹出す開口部が室内空間に面して配置される吹出口本体と、
当該吹出口本体の内部に設けられて前記内部流路の少なくとも一部の開放度合いを変化させ、開口部から吹出される調和空気の気流速度を調整可能とするシャッター部と、
前記吹出口本体内部に傾動可能として配置され、前記開口部からの調和空気の吹出方向を、開口部から吹出された調和空気が室内空間における居住域に向かう下寄りの吹出方向を少なくとも含む複数通りに切替え可能とする複数の案内羽根と、
前記シャッター部の開度、及び、案内羽根の傾斜角度、をそれぞれ調整制御する制御部とを少なくとも備えるものであり、
所定の外部制御手段が、前記室内空間へ使用者が所定時間後に入室する確定情報を取得すると、前記室内空間への先行空調指示情報を前記制御部に送り、
前記制御部が、前記先行空調指示情報を受け取ると、前記シャッター部を閉止状態にすると共に、案内羽根を前記下寄りの吹出方向に調和空気を案内する傾斜角度に傾動調整して、開口部から吹出される調和空気が室内空間における居住域に気流として直接到達する状態とし、
使用者の室内空間への入室の前又は入室と同時に、前記制御部が、前記シャッター部を開放状態にすると共に、案内羽根を前記下寄りの吹出方向以外の他の吹出方向に調和空気を向かわせる傾斜角度に傾動調整して、開口部から吹出された調和空気の気流が室内空間における居住域には直接到達しない状態に切替えることを
特徴とする吹出口装置の吹出状態制御方法。
【請求項７】
前記請求項６に記載の吹出口装置の吹出状態制御方法において、
前記確定情報に基づいて前記外部制御手段又は制御部であらかじめ推定された、室内空間に使用者が入室する直前の時点に達するか、又は、室内空間への使用者の入室の事実を示す情報を取得すると、制御部が、前記調和空気の気流が居住域に直接到達する状態から、前記調和空気の気流が居住域には直接到達しない状態への切替えを行うことを
特徴とする吹出口装置の吹出状態制御方法。
【請求項８】
空気調和対象となる室内空間の天井又は天井近傍に配設されて、室内空間に調和空気を吹出す吹出口装置を少なくとも有する空気調和システムにおいて、
前記吹出口装置が、
調和空気が通過可能な内部流路を取囲んだ略箱状体として形成され、前記内部通路に通じて調和空気を吹出す開口部が室内空間に面して配置される吹出口本体と、
当該吹出口本体の内部に設けられて前記内部流路の少なくとも一部の開放度合いを変化させ、開口部から吹出される調和空気の気流速度を調整可能とするシャッター部と、
前記吹出口本体内部に傾動可能として配置され、前記開口部からの調和空気の吹出方向を、開口部から吹出された調和空気が室内空間における居住域に向かう下寄りの吹出方向を少なくとも含む複数通りに切替え可能とする複数の案内羽根と、
前記シャッター部の開度、及び、案内羽根の傾斜角度、をそれぞれ調整制御する制御部とを少なくとも備えてなり、
前記室内空間へ使用者が所定時間後に入室する確定情報を取得して、前記室内空間への先行空調指示情報を前記制御部に送る所定の外部制御手段を有し、
前記制御部が、前記シャッター部を閉止すると共に、案内羽根を前記下寄りの吹出方向に調和空気を案内する傾斜角度に傾動調整して、前記調和空気の気流を居住域に直接到達させる状態と、前記シャッター部を開放すると共に、案内羽根を前記下寄りの吹出方向以外の他の吹出方向に調和空気を向かわせる傾斜角度に傾動調整して、前記調和空気の気流を居住域に直接到達させない状態とを、切替可能とするようにされ、且つ、
制御部は、前記先行空調指示情報を受け取って、前記調和空気の気流を居住域に直接到達させるようにする一方、使用者が室内空間に入室する前又は入室と同時に、前記調和空気の気流を居住域には直接到達させないようにする制御を行うものであることを
特徴とする空気調和システム。
【請求項９】
前記請求項８に記載の空気調和システムにおいて、
前記制御部が、前記確定情報に基づいて前記外部制御手段又は制御部であらかじめ推定された、室内空間に使用者が入室する直前の時点に、前記調和空気の気流を居住域には直接到達させないようにする制御を行うものであることを
特徴とする空気調和システム。
【請求項１０】
前記請求項８に記載の空気調和システムにおいて、
前記制御部が、室内空間への使用者の入室の事実を示す情報を取得して、前記調和空気の気流を居住域には直接到達させないようにする制御を行うものであることを
特徴とする空気調和システム。
【発明の詳細な説明】
【技術分野】
【０００１】
本発明は、空気調和の対象となる空間における天井部に配置され、吹出用開口部分から前記空気調和対象空間に対し調和空気を吹出す吹出口装置に関する。
【背景技術】
【０００２】
室内空間に対し吹出口装置から調和空気を送り込んでなされる空気調和には、対象となる室内空間やその周囲の環境に応じた様々な手法が採用されている。例えば、ホテルにおける客室などへの空気調和は、天井裏のスペースやコスト面での制約から、客室における天井の所定箇所（例えば、客室入口付近等）に、天井の室内他部分に対し一段低くされた下がり天井を設け、この下がり天井に吹出口装置を収めるように配設して、下がり天井の側面に位置させた、吹出口装置の室内空間に対し横向きに開口している吹出口から、調和空気をそのまま室内空間に横向きに吹出し、調和空気を室内空間に拡散させる仕組みとされることが多かった。
【０００３】
そして、こうしたホテルの客室ごとの吹出口装置には、各室共通の熱媒体を利用するファンコイルユニットなどを組合わせて、温度調整された調和空気を発生させるようにしたり、機械室の空気調和機で集中処理された調和空気をダクトを通じて各吹出口装置に供給するようにして、吹出口装置から調和空気を吹出可能としていた。
こうした従来の吹出口装置の一例として、特開平７−１４５９８３号公報や実開平７−４２４７２号公報に記載されるものがある。
【先行技術文献】
【特許文献】
【０００４】
【特許文献１】特開平７−１４５９８３号公報
【特許文献２】実開平７−４２４７２号公報
【発明の概要】
【発明が解決しようとする課題】
【０００５】
前記各特許文献に示される従来の吹出口装置は、天井近傍で、冷房、暖房のいずれの場合も横向きに調和空気を吹出すものであった。このため、暖房の際には、室内空気より軽く、吹出し後もそのまま天井付近に留まりがちな暖気と、室内空気とのミキシングが生じにくいという問題があった。
【０００６】
一方、従来の吹出口装置が適用されるようなホテルの客室などの室内空間においても、オフィスや一般家庭の部屋と同様、近年は室内の照明に発熱の少ないＬＥＤが採用されるなど、省エネルギー化の進展で室内では空調装置以外からの放熱量が減少しており、その分、暖房期における室内空間の暖房負荷は増加する傾向にある。
【０００７】
このため、従来の吹出口装置の室内空間への適用において、例えば、部屋が広く室内空間が大きい場合や、ガラス窓の面積が大きく、そこから外部へ逃散する熱量が多くなる場合には、暖房負荷に対し暖房能力が不足する事態に陥りやすく、暖気と室内空気とのミキシングの問題も相まって、暖房を行っても室内が暖まりにくいという課題を有していた。
【０００８】
特に、ホテルの客室への適用を考慮すると、ホテルの客室は、一般に宿泊など夜間の使用が多いことから、暖まりにくさなどの暖房に係る問題は、客室の空気調和機能をそれが必要とされる時に十分に発揮できない点で、そのまま利用客のホテル利用における不満につながりかねない。こうした不満は利用客の次回の来訪の機会を失わせる原因にもなり得ることから、上記の暖房に係る問題の改善が強く求められている。
【０００９】
本発明は前記課題を解消するためになされたもので、案内羽根で調和空気の気流の案内方向を水平から斜め下向きまでの間で可変とすると共に、吹出口内部のシャッター部の開閉で気流の吹出速度を調整可能とし、必要に応じて流速を大きくした調和空気の気流を吹出口から斜め下向きに吹出すようにして、調和空気と室内空気とのミキシングを効率よく進行させて空気調和効果を高められる、吹出口装置、及び、この吹出口の制御方法、並びに当該制御方法を適用する空気調和システムを提供することを目的とする。
【課題を解決するための手段】
【００１０】
本発明に係る吹出口装置は、空気調和対象空間の天井又は天井近傍に配設され、空気調和対象空間に調和空気を吹出す吹出口装置において、調和空気が通過可能な横向きの内部流路を取囲んだ略箱状体として形成され、前記内部通路に通じる複数の開口を有して空気調和対象空間の天井近傍に設けられ、前記内部流路に通じる開口のうち一方の開口に調和空気を供給され、他方の開口から調和空気を空気調和対象空間へ吹出す吹出口本体と、当該吹出口本体の内部に設けられ、前記内部流路の下側所定範囲を開閉可能とするシャッター部と、前記吹出口本体の内部における前記他方の開口近傍部分に、前記内部流路を横断する傾動中心軸周りに傾動可能として配置される複数の案内羽根と、前記吹出口本体内部で、前記シャッター部の上縁から前記他方の開口側に所定長さ連続し、且つ前記内部流路を横断して配設され、内部流路の所定範囲を上下に分ける略板状の仕切り部とを備えるものである。
【００１１】
このように本発明によれば、天井又はその近傍に設けられる吹出口本体の内部に、この吹出口本体の内部流路の下部を開閉するシャッター部を設けると共に、吹出口本体の開口近傍に複数の案内羽根を傾動可能として配設し、さらにシャッター部上端の他方の開口寄り位置で吹出口本体の内部流路を上下に分ける仕切り部を設けて、シャッター部を閉止すると、流路断面積の減少で気流の速度を大きくすると共に、仕切り部の作用でシャッター部の気流進行方向下流側に相対的に圧力の低い領域を生じさせて、気流の吹出方向を下方にずらしやすい状態が得られることにより、各案内羽根を下に傾ける調整と合わせて、吹出口本体内部のシャッター部を閉じるようにすることで、流速を大きくした調和空気の気流を無理なく斜め下向きに吹出せることとなり、例えば暖房の場合にこの斜め下向きの吹出しを行うようにすれば、暖気が室内空間を斜め下向きに進みながら周囲の室内空気と強力に混合して、室内に拡散する状態とすることができ、吹出された暖気の上昇や天井に沿って暖気が進むのを防ぎ、暖気と室内空気との混合を効率よく進行させて室内の暖房効果を高められる。
【００１２】
また、本発明に係る吹出口装置は必要に応じて、前記吹出口本体の内部流路における前記シャッター部より上側の流路部分に、当該流路部分を一部閉塞する抵抗体を設け、前記上側の流路部分における前記抵抗体で閉塞されない開放部分の、上側の流路部分全体に対する大きさの割合を、シャッター部を開放した際のシャッター部における開放部分の、シャッター部全体に対する大きさの割合と一致させるものである。
【００１３】
このように本発明によれば、吹出口本体の内部流路のうち、シャッター部の上側の流路部分に抵抗体を設けると共に、シャッター部を開放した際には、内部流路における上側の流路部分の開口率、すなわち、上側の流路部分における抵抗体で閉塞されない開放部分の、上側の流路部分全体に対する大きさの割合を、シャッター部の開口率、すなわち、シャッター部における開放部分の、シャッター部全体に対する大きさの割合、と一致するように、抵抗体の閉塞状態を設定することにより、開放状態でもその構造上１００％の開口率とはなり得ないシャッター部に対し、シャッター部上側の流路部分を抵抗体で同様の開口率として、シャッター部の開放状態ではシャッター部の開放部分と内部流路における上側の流路部分とで調和空気の気流に均等に通過抵抗を与えられ、内部流路上下で気流を偏らせず一様に流通させることができ、シャッター部を開放して吹出口本体の他方の開口全体から吹出を行う場合に、案内羽根で案内する所望の方向へ開口全体から一様に吹出を行うことができ、室内空間に適切に調和空気の気流を進行させて空気調和を進められる。
【００１４】
また、本発明に係る吹出口装置は必要に応じて、前記案内羽根が、表面を曲面とされる略薄板状に形成されると共に、羽根横断面形状のうち、羽根の傾動中心軸から離れた少なくとも一方の端部における形状を、案内羽根が傾動して斜め向きとなった状態で、案内羽根に沿う気流を下方へ案内するように下向きに湾曲した形状とされるものである。
【００１５】
このように本発明によれば、案内羽根端部を所定の湾曲形状として、案内羽根を斜め向きとして気流を斜め下向きに吹き出す場合に、気流が案内羽根端部の湾曲部分に沿わせて斜め下方に向かいやすくすることにより、暖房の際に気流を斜め下向きに向かわせようとする場合に、上昇しやすい暖気を案内羽根による案内でスムーズに室内空間の下方に向かわせて効率よく室内空気と混合、拡散させることができ、暖房の効率を高められる。
【００１６】
また、本発明に係る吹出口装置は必要に応じて、前記シャッター部が、前記吹出口本体の内部流路における前記シャッター部が存在する下側所定範囲部分の流路断面積を、シャッター部より上側の流路部分の流路断面積より大きくするように配設されるものである。
【００１７】
このように本発明によれば、内部流路のうち、シャッター部のある下側部分の流路断面積を、上側の流路部分の流路断面積より大きくして、シャッター部の開閉が内部流路に大きな影響を与えるようにすることにより、シャッター部を閉じた際に開放状態を維持している上側流路部分を絞り込んで気流の速度を大きくし、気流の室内空間における到達距離を増大させて調和空気を室内空間各部に確実に送り込めるようにすると共に、シャッター部の気流進行方向下流側に生じる低い圧力の領域が大きくなるのに伴い、この領域の吹出気流に与える影響もより大きくなり、吹出気流の下向きの偏移を無理なく適切に生じさせ、速度を大きくした気流を確実に斜め下向きに吹き出して、そのまま室内空間を進行させることができ、暖房の場合に暖気と室内空気との混合をより一層促せる。
【００１８】
また、本発明に係る吹出口装置は必要に応じて、前記仕切り部における前記他方の開口寄りの所定範囲部分が、仕切り部の他部分に対し傾斜する形状とされ、前記仕切り部の傾斜部分の傾斜角度が、傾斜部分の先端を前記他方の開口の下端部側に向けるように設定されるものである。
【００１９】
このように本発明によれば、仕切り部の端部を傾斜させ、先端を他方の開口の下端部側に向けるようにすることにより、仕切り部に沿って内部流路を進んだ気流がそのまま傾斜部分に沿って吹出口本体の他方の開口の下端部に達し、この開口下端部を経て室内空間に進むこととなり、この仕切り部傾斜部分から開口下端部に達する気流が、内部流路の仕切り部より下側部分を室内空間から隔離する状態として、室内空気がシャッター部より気流進行方向下流側の低い圧力となる領域に向かうのを阻止でき、冷房の場合に吹出気流との接触で冷えた仕切り部やシャッター部、吹出口本体の内周面に温かい室内空気が接して結露が発生するのを確実に防止できる。
【００２０】
また、本発明に係る吹出口装置の吹出制御方法は、空気調和対象となる室内空間の天井又は天井近傍に配設されて、室内空間に調和空気を吹出す吹出口装置における、吹出状態の制御方法において、前記吹出口装置が、調和空気が通過可能な内部流路を取囲んだ略箱状体として形成され、前記内部通路に通じて調和空気を吹出す開口部が空気調和対象空間に面して配置される吹出口本体と、当該吹出口本体の内部に設けられて前記内部流路の少なくとも一部の開放度合いを変化させ、開口部から吹出される調和空気の気流速度を調整可能とするシャッター部と、前記吹出口本体内部に傾動可能として配置され、前記開口部からの調和空気の吹出方向を、開口部から吹出された調和空気が室内空間における居住域に向かう下寄りの吹出方向を少なくとも含む複数通りに切替え可能とする複数の案内羽根と、前記シャッター部の開度、及び、案内羽根の傾斜角度、をそれぞれ調整制御する制御部とを少なくとも備えるものであり、所定の外部制御手段が、前記室内空間へ使用者が所定時間後に入室する確定情報を取得すると、前記室内空間への先行空調指示情報を前記制御部に送り、前記制御部が、前記先行空調指示情報を受け取ると、前記シャッター部を閉止状態にすると共に、案内羽根を前記下寄りの吹出方向に調和空気を案内する傾斜角度に傾動調整して、開口部から吹出される調和空気が室内空間における居住域に気流として直接到達する状態とし、使用者が室内空間に入室する前又は入室と同時に、前記制御部が、前記シャッター部を開放状態にすると共に、案内羽根を前記下寄りの吹出方向以外の他の吹出方向に調和空気を向かわせる傾斜角度に傾動調整して、開口部から吹出された調和空気の気流が室内空間における居住域には直接到達しない状態に切替えるものである。
【００２１】
このように本発明によれば、室内空間へ使用者が所定時間後に入室することがほぼ確定した状況に至ると、制御部による制御に基づき、シャッター部が閉止状態とされると共に、案内羽根が調和空気を下寄りの吹出方向に案内する状態とされて、吹出口本体の開口部から気流速度を大きくされた調和空気が、案内羽根に案内されて室内空間へ下寄りに吹出され、大きな気流速度で室内空間下方の居住域に達することにより、居住域での調和空気と室内空気との混合に伴う調和空気の拡散が急速に進行して、短時間で効率よく室内空気の温度を上昇又は低下させて空気調和の設定温度に移行させられ、使用者の入室時における室内空間をより快適な状態とすることができる。
【００２２】
また、室内空間に使用者が入室した際には、制御部がシャッター部を開放状態にすると共に、案内羽根を傾動調整して、開口部から吹出された調和空気の気流が居住域には直接到達しない状態とされることで、使用者の室内空間への在室状態で、室内空間に吹出される調和空気の気流が使用者にとってドラフトとなって不快感を与えるようなこともなく、空気調和による室内空間の快適な状態が確実に得られることとなる。
【００２３】
また、本発明に係る吹出口装置の吹出制御方法は必要に応じて、前記確定情報に基づいて前記外部制御手段又は制御部であらかじめ推定された、室内空間に使用者が入室する直前の時点に達するか、又は、室内空間への使用者の入室の事実を示す情報を取得すると、制御部が、前記調和空気の気流が居住域に直接到達する状態から、前記調和空気の気流が居住域には直接到達しない状態への切替えを行うものである。
【００２４】
このように本発明によれば、調和空気が室内空間における居住域に気流として直接到達する状態にある中、室内空間に使用者が入室する直前時点として推定された時に達したことを制御部が認識するか、室内空間への使用者の入室の事実を示す情報を制御部が取得すると、制御部は吹出口装置を調和空気の気流が居住域には直接到達しない状態に切替え、在室状態の使用者に対して調和空気の気流がドラフトとならないようにすることにより、制御部で使用者の入室のタイミングを正しく自動認定して、使用者が室内空間に入る直前まで、調和空気の気流が室内空間下方の居住域まで達する効率のよい空気調和を最大限に実行でき、使用者の入室時における室内温度を確実に空調設定温度に近付けることができ、使用者の室内での快適感を向上させられる。
【図面の簡単な説明】
【００２５】
【図１】本発明の第１の実施形態に係る吹出口装置の天井設置状態説明図である。
【図２】本発明の第１の実施形態に係る吹出口装置の概略正面図である。
【図３】本発明の第１の実施形態に係る吹出口装置の概略背面図である。
【図４】本発明の第１の実施形態に係る吹出口装置におけるシャッター部開放及び案内羽根横向き状態説明図である。
【図５】本発明の第１の実施形態に係る吹出口装置におけるシャッター部開放及び案内羽根横向き状態での吹出気流説明図である。
【図６】本発明の第１の実施形態に係る吹出口装置におけるシャッター部閉止及び案内羽根横向き状態説明図である。
【図７】本発明の第１の実施形態に係る吹出口装置におけるシャッター部閉止及び案内羽根横向き状態での吹出気流説明図である。
【図８】本発明の第１の実施形態に係る吹出口装置におけるシャッター部閉止及び案内羽根斜め向き状態説明図である。
【図９】本発明の第１の実施形態に係る吹出口装置におけるシャッター部閉止及び案内羽根斜め向き状態での吹出気流説明図である。
【図１０】本発明の第１の実施形態に係る吹出口装置におけるシャッター部開放及び案内羽根斜め向き状態説明図である。
【図１１】本発明の第１の実施形態に係る吹出口装置におけるシャッター部開放及び案内羽根斜め向き状態での吹出気流説明図である。
【図１２】本発明の第２の実施形態に係る吹出口装置におけるシャッター部閉止及び案内羽根斜め向き状態説明図である。
【図１３】本発明の第３の実施形態に係る吹出口装置で構成される空気調和システムの概略説明図である。
【図１４】本発明の第３の実施形態に係る吹出口装置におけるシャッター部半開放状態の概略背面図である。
【図１５】本発明の第３の実施形態に係る吹出口装置における吹出制御のフローチャートである。
【図１６】本発明の第３の実施形態に係る吹出口装置における吹出制御のうち先行空気調和許容時の冷房及び送風制御処理分のフローチャートである。
【図１７】本発明の第３の実施形態に係る吹出口装置における吹出制御のうち先行空気調和非許容時の吹出制御処理分のフローチャートである。
【図１８】本発明の第３の実施形態に係る吹出口装置におけるシャッター部閉止及び案内羽根の第二の斜め向き状態説明図である。
【図１９】本発明の第３の実施形態に係る吹出口装置におけるシャッター部閉止及び案内羽根の第二の斜め向き状態での吹出気流説明図である。
【図２０】本発明の第３の実施形態に係る吹出口装置におけるシャッター部半開放及び案内羽根横向き状態説明図である。
【図２１】本発明の第３の実施形態に係る吹出口装置におけるシャッター部半開放及び案内羽根横向き状態での吹出気流説明図である。
【図２２】本発明の第３の実施形態に係る吹出口装置におけるシャッター部半開放及び案内羽根の第一の斜め向き状態説明図である。
【図２３】本発明の第３の実施形態に係る吹出口装置におけるシャッター部半開放及び案内羽根の第一の斜め向き状態での吹出気流説明図である。
【図２４】本発明の第３の実施形態に係る吹出口装置におけるシャッター部開放及び案内羽根の第一の斜め向き状態説明図である。
【図２５】本発明の第３の実施形態に係る吹出口装置におけるシャッター部開放及び案内羽根の第一の斜め向き状態での吹出気流説明図である。
【発明を実施するための形態】
【００２６】
（本発明の第１の実施形態）
以下、本発明の第１の実施形態に係る吹出口装置を前記図１ないし図１１に基づいて説明する。本実施形態では、ホテルの客室等、室内空間の下がり天井部に設けられる吹出口装置の例について説明する。
【００２７】
前記各図において本実施形態に係る吹出口装置１は、矩形開口断面の内部流路を取囲んだ略筒状体として形成される吹出口本体１０と、この吹出口本体１０の内部に設けられ、内部流路の下側所定範囲を開閉可能とするシャッター部２０と、吹出口本体１０の内部における前記他方の開口近傍部分に傾動可能として配置される複数の案内羽根３０と、吹出口本体１０内部に配設されて内部流路を上下に分ける仕切り部４０と、吹出口本体１０の内部流路におけるシャッター部２０より上側の流路部分に設けられる抵抗体５０とを備える構成である。
【００２８】
前記吹出口本体１０は、調和空気の通過可能な矩形開口断面の内部流路を取囲む、金属等の強度の高い材質製の略筒状体として形成され、空気調和対象となる室内空間の天井に内部流路両端の開口を横向きとして設けられる構成である。
【００２９】
この吹出口本体１０は、その矩形状開口断面が横長となるようにして、天井６０のうち、一段下がった下がり天井部６５内側に配設され（図１参照）、天井６０内でダクト６１に接続される一方の開口１１に調和空気を供給され、下がり天井部６５の側面部に露出状態として配置される他方の開口１２から、調和空気を室内空間７０に吹出す仕組みである。
【００３０】
吹出口本体１０の室内空間側の端部には、この端部から開口１２の周囲に突出する額縁部１３が形成される構成である。
この額縁部１３は、吹出口本体１０側端部から開口１２に対し外方へ所定幅突出する部分を周方向へ連続させて略鍔状とした形状とされる構成である。そして、額縁部１３が、天井６０の下がり天井部側面の開口縁部分に接する状態とされることで、吹出口本体１０と下がり天井部６５との隙間からの調和空気の漏れを防止可能な構成である。
【００３１】
この他、吹出口本体１０の内部には、一方の開口１１寄りにシャッター部２０が設けられると共に、他方の開口１２近傍に複数の案内羽根３０が設けられ、これらシャッター部２０と案内羽根３０の間に仕切り部４０が設けられることとなる。
【００３２】
前記シャッター部２０は、固定部２１に対し可動部２２を動かして、それぞれに設けられた開口部同士が重なり合って調和空気が通過可能な開放状態と、開口部同士が互いにずれて重なり合わず調和空気を通過させない閉止状態とを切替可能とする公知のスライドシャッターであり、吹出口本体１０内で内部流路下部を横断する配置として設けられ、この内部流路の下側所定範囲を開閉可能とするものである。
【００３３】
このシャッター部２０は、所定の制御部（図示を省略）で制御される駆動部２３を有し、使用者の操作に基づいて前記制御部で制御された駆動部２３の駆動で作動して、開閉切替を実行する構成である。
【００３４】
詳細には、リニアモータである駆動部２３が、使用者の操作に基づく制御指令を受けて、この駆動部２３と連結する突出片２４を動かし、この突出片２４が取り付けられたシャッター部２０の可動部２２を固定部２１に対しスライド移動させて、開口部同士が重なり合って調和空気を通過させる開放部分２５を生じさせる開放状態と、開口部同士が互いにずれて重なり合わない閉止状態とを切替える仕組みである。
【００３５】
なお、このシャッター部２０が存在する、吹出口本体１０の内部流路における下側所定範囲部分の流路断面積は、シャッター部２０より上側の流路部分の流路断面積より大きくされており、シャッター部２０の開閉切替で吹出口本体１０の内部流路の状態は大きく変化する。
この他、シャッター部２０は、開放時の有効開口面積を大きく確保するために、吹出口本体１０の内周面に対し斜めに傾斜させて設置される構成である。
【００３６】
前記案内羽根３０は、吹出口本体１０の内部における他方の開口１２近傍部分に、内部流路を横断する傾動中心軸周りに傾動可能として、上下に所定間隔で複数配設される構成である。
この案内羽根３０は、表面を曲面とされる略薄板状で、且つ傾動中心軸から離れるほど厚さが小さくなる、傾動中心軸を中心とした点対称形状の断面形状として形成される。
【００３７】
また、案内羽根３０は、その羽根横断面形状のうち、傾動中心軸から離れた端部における形状を、案内羽根３０が傾動して斜め向きとなった状態で、他方の開口１２寄りの端部において案内羽根３０に沿う気流を下方へ案内するように下向きに湾曲した形状をなすよう形成される。
【００３８】
この案内羽根３０の傾動用として、所定の制御部（図示を省略）で制御される駆動部３１が吹出口本体１０内に配設される。駆動部３１は、使用者の操作に基づく前記制御部の制御で各案内羽根３０に駆動力を与えて、各案内羽根３０を一様に傾動させる。
【００３９】
詳細には、駆動部３１と共に、各案内羽根３０の端部と連結される連結板３３が、吹出口本体１０内に上下移動可能に配設され、この連結板３３にギアードモータである駆動部３１の出力軸に取り付けられて傾動するアーム３２の端部が連結される。
【００４０】
駆動部３１が、使用者の操作に基づく制御指令を受けて、アーム３２を傾動させると、アーム３２に連結された連結板３３が上又は下に移動し、この連結板３３の移動に伴って、連結板３３に端部を連結された各案内羽根３０がそれぞれの傾動中心軸周りに傾動して、向きを変化させる仕組みである。連結板３３が下に移動すると、案内羽根３０はその他方の開口１２側の端部が上方に向かうよう傾動し、連結板３３が上に移動すると、案内羽根３０の同じ端部が下方に向かうよう傾動する。連結板３３が移動可能範囲の最も下側の位置に移動すると、案内羽根３０はその他方の開口１２側の端部が側方を向いて、羽根全体がほぼ水平となる横向き状態となる。連結板３３がそこからさらに上に移動すると、案内羽根３０は、他方の開口１２側の端部が下方を向いて、羽根全体が傾いた斜め向き状態となる。
【００４１】
こうして、駆動部３１が制御部の制御によりアーム３２及び連結板３３を介して各案内羽根３０を傾動させることで、案内羽根３０を横向きと斜め向きのいずれかに切替可能となっている。
【００４２】
前記仕切り部４０は、略板状体で形成され、吹出口本体１０内部におけるシャッター部２０の上縁から他方の開口１２側に所定長さ連続し、且つ内部流路を横断して配設される構成であり、内部流路を所定長さにわたって上下に分けるものである。
【００４３】
この仕切り部４０が、内部流路のうちシャッター部２０より気流進行方向下流側の領域を、シャッター部２０より上側の流路部分から分けて隔離することで、シャッター部２０の閉塞時に、仕切り部４０で上側の流路部分と分けられたシャッター部２０の気流進行方向下流側の領域における圧力を上側の流路部分に対し相対的に低下させた状態とすることができる。
【００４４】
前記抵抗体５０は、貫通孔５１を複数設けられた板状体で形成され、吹出口本体１０の内部流路におけるシャッター部２０より上側の流路部分に、これを横断するように設けられ、この上側の流路部分を一部閉塞するものである。この抵抗体５０では、上側の流路部分の開口率、すなわち、上側の流路部分における抵抗体５０で閉塞されない、各貫通孔５１からなる開放部分の、上側の流路部分全体に対する大きさの割合を、シャッター部２０を開放した際のシャッター部２０の開口率、すなわち、シャッター部２０における開放部分のシャッター部２０全体に対する大きさの割合と一致させるように、各貫通孔５１を穿設される。
【００４５】
また、抵抗体５０は、シャッター部２０と同様に、有効開口面積をできるだけ大きく確保するために、吹出口本体１０の内周面に対し斜めに傾斜させて設置される。
この抵抗体５０を設けることで、シャッター部２０の開放状態で、シャッター部２０と抵抗体５０の開口率が同じとなり、調和空気はシャッター部２０と抵抗体５０の各開放部分をそれぞれ通過して内部流路全体に流通することとなり、開口率が大きく通過抵抗の少ない側に気流が偏って流通する事態を防いで、吹出口本体１０の他方の開口１２側で各案内羽根３０による吹出方向の設定を適切に行える。
【００４６】
次に、前記構成に基づく吹出口装置における調和空気吹出状態について説明する。前提として、ダクト６１を通じて吹出口装置１に対し調和空気が継続的に供給される状況にあるものとする。
【００４７】
使用者の操作により吹出口装置１の吹出状態が設定されると、この設定された吹出状態に対応して、シャッター部２０の開閉状態をそれまでの状態から切替える必要がある場合は、制御に基づいてシャッター部２０の駆動部２３が作動し、シャッター部２０の開閉状態を切替える。
【００４８】
具体的には、シャッター部２０の駆動部２３が、使用者の操作に対応した制御に基づいて作動し、この駆動部２３と連結する突出片２４を直線移動させ、この突出片２４と一体のシャッター部２０の可動部２２を固定部２１に対しスライド移動させることで、シャッター部２０を室内空間への新たな空気調和の内容に対応した、それまでと異なる所定の開閉状態に切替える。
【００４９】
また、案内羽根３０の向きについても、設定された吹出状態に対応してそれまでの向きから切替える必要がある場合は、制御に基づいて、駆動部３１が作動し、案内羽根３０の向きを切替えることとなる。
【００５０】
具体的には、駆動部３１が、使用者の操作に対応した制御に基づいて作動してアーム３２を傾動させ、この駆動部３１のアーム３２と連結する連結板３３を上又は下に移動させ、この連結板３３に端部を連結された各案内羽根３０をその傾動中心軸周りにそれぞれ傾動させることで、案内羽根３０を室内空間への新たな空気調和の内容に対応した、それまでと異なる所定の向きに切替える。
【００５１】
吹出状態の設定に応じて、シャッター部２０が開放状態とされ、案内羽根３０が横向きとされた状態（図４、図５参照）では、ダクト６１から送られた調和空気は、吹出口本体１０の一方の開口１１から吹出口本体１０内に進入する。この調和空気は、吹出口本体１０内のシャッター部２０と抵抗体５０に達する。
【００５２】
調和空気は、開放状態のシャッター部２０と抵抗体５０の両方を通過し、吹出口本体１０内の内部流路の、仕切り部４０を挟む上側の流路部分と下側の流路部分の両方を通って、室内空間寄りに位置する案内羽根３０に到達する。
【００５３】
案内羽根３０に達した調和空気は、上下に並んだ各案内羽根３０の間を進み、横向きとされた各案内羽根３０に案内され、進行方向を水平として、他方の開口１２のほぼ全域から室内空間７０に吹出す。
【００５４】
このシャッター部２０が開放状態とされ、且つ案内羽根３０が横向きとされて、他方の開口１２のほぼ全域から調和空気を水平に吹出す状態は、冷房時に主に利用されるものであり、下がり天井部６５に設けられた吹出口装置から冷気を水平に吹出すことで、室内空気より重い冷気をすぐには下降させずに室内空間を遠方まで到達させることができる。
また、調和空気の流路を絞り込まず、吹出速度を過度に大きくしないことで、室内空間が狭い場合に冷気の気流が速度を低下させずに居住域に達してドラフトとなるのを防止できる。
【００５５】
続いて、吹出状態の他の設定に応じて、シャッター部２０が閉止状態とされ、案内羽根３０が横向きとされた状態について説明する（図６、図７参照）。この状態では、ダクト６１から送られた調和空気が、吹出口本体１０の一方の開口１１を経てシャッター部２０と抵抗体５０に達するが、調和空気は閉止状態のシャッター部２０を通過できないことから、抵抗体５０のみを通過する。
【００５６】
このため、調和空気は抵抗体５０を通過して、吹出口本体１０内の内部流路の、仕切り部４０より上側の流路部分を通ることとなり、調和空気の通過する流路の断面積が、内部流路全体を通る場合より狭くなっていることで、調和空気の流速は大きくなり、この流速を大きくした調和空気が案内羽根３０に到達する。
【００５７】
案内羽根３０に達した調和空気は、横向きとされた各案内羽根３０により進行方向をそのまま水平として進行していく。この時、調和空気は、内部流路のうち仕切り部４０上側の流路部分のみを流速を大きくして通過する一方、仕切り部４０下側の流路部分を通らない状態にあることで、仕切り部４０下側の流路部分では、上側の流路部分に対し圧力が相対的に低下しており、この圧力を低くした領域に、進行する調和空気の気流が誘引され、結果として調和空気の気流にわずかながら下向きの速度成分が加わることとなる。
【００５８】
しかし、調和空気は横向きとされた各案内羽根３０に案内されることで、進行方向を大きく変えることはなく、気流は仕切り部４０上側の流路部分の通過時より少し下側に広がるのみとなり、調和空気は他方の開口１２の上部から中央部にかけての領域から室内空間７０に吹出す。
【００５９】
このシャッター部２０が閉止状態とされ、且つ案内羽根３０が横向きとされて、他方の開口１２の一部領域から調和空気を水平に吹出す状態も、冷房時に主に利用されるものであり、下がり天井部６５に設けられた吹出口装置から、冷気をその吹出速度を大きくした上で水平に吹出すことで、室内空気より重い冷気を下降させることなく天井に沿わせて室内空間の遠方まで到達させることができ、室内空間が広い場合でも冷気を室内空間全体に拡散させて効率よく冷房を行え、冷房効果を確実に得られる。
【００６０】
また、吹出状態のさらに他の設定に応じて、シャッター部２０が閉止状態とされ、案内羽根３０が斜め向きとされた状態について説明する（図８、図９参照）。この状態では、ダクト６１から送られた調和空気が、吹出口本体１０の一方の開口１１を経てシャッター部２０と抵抗体５０に達するが、調和空気は閉止状態のシャッター部２０を通過できないことから、抵抗体５０のみを通過する。
【００６１】
このため、調和空気は抵抗体５０を通過して、吹出口本体１０内の内部流路の、仕切り部４０より上側の流路部分を通ることとなり、調和空気の通過する流路の断面積が、内部流路全体を通る場合より狭くなっていることで、調和空気の流速は大きくなり、この流速を大きくした調和空気が案内羽根３０に到達する。
【００６２】
案内羽根３０に達した調和空気は、斜め向きとされた各案内羽根３０により進行方向を斜め下向きに変えていく。加えて、この時、調和空気は、内部流路のうち仕切り部４０上側の流路部分のみを流速を大きくして通過する一方、仕切り部４０下側の流路部分を通らない状態にある。このため、仕切り部４０下側の流路部分では、上側の流路部分に対し圧力が相対的に低下しており、この圧力を低くした領域に、進行する調和空気の気流が誘引され、結果として調和空気の気流の斜め下向きの進行が促されることとなる。
【００６３】
こうして、調和空気は内部流路の仕切り部４０上側の流路部分から斜め下向きに進み、斜め向きとされた各案内羽根３０の間を通って、進行方向を斜め下向きとして、他方の開口１２の上部から中央部にかけての領域から室内空間７０に吹出す。
【００６４】
このシャッター部２０が閉止状態とされ、且つ案内羽根３０が斜め向きとされて、他方の開口１２の一部領域から調和空気を斜め下向きに吹出す状態は、暖房時に主に利用されるものであり、下がり天井部６５に設けられた吹出口装置から、暖気をその吹出速度を大きくした上で斜め下向きに吹出すことで、室内空気より軽い暖気をすぐに上昇させることなく室内空間の遠方まで到達させることができ、室内空間が広い場合でも暖気を室内空間全体に拡散させて効率よく暖房を行え、暖房効果を確実に得られる。
【００６５】
さらに、吹出状態の別の他の設定に応じて、シャッター部２０が開放状態とされ、案内羽根３０が斜め向きとされた状態について説明する（図１０、図１１参照）。この状態では、ダクト６１から送られた調和空気が、吹出口本体１０の一方の開口１１を経てシャッター部２０と抵抗体５０に達し、開放状態のシャッター部２０と抵抗体５０の両方を通過し、吹出口本体１０内の内部流路の、仕切り部４０を挟む上側の流路部分と下側の流路部分の両方を通って、室内空間寄りに位置する案内羽根３０に到達する。
【００６６】
案内羽根３０に達した調和空気は、上下に並んだ各案内羽根３０の間を進み、斜め向きとされた各案内羽根３０に案内され、進行方向を斜め下向きとして、他方の開口１２のほぼ全域から室内空間７０に吹出す。
【００６７】
このシャッター部２０が開放状態とされ、且つ案内羽根３０が斜め向きとされて、他方の開口１２のほぼ全域から調和空気を斜め下向きに吹出す状態も、暖房時に主に利用されるものであり、下がり天井部６５に設けられた吹出口装置から、暖気を斜め下向きに吹出すことで、室内空気より軽い暖気をすぐに上昇させることなく室内空間の遠方まで到達させられ、効率よく暖房を行える。
また、調和空気の流路を絞り込まず、吹出速度を過度に大きくしないことで、室内空間が狭い場合に暖気の気流が速度を低下させずに居住域に達してドラフトとなるのを防止できる。
【００６８】
このように、本実施形態に係る吹出口装置においては、室内空間側の開口１２が横向きとなるようにして天井６０の下がり天井部６５に設けられる吹出口本体１０の内部に、この吹出口本体１０の内部流路の下部を開閉するシャッター部２０を設けると共に、吹出口本体１０の他方の開口１２近傍に複数の案内羽根３０を傾動可能として配設し、さらにシャッター部２０上端の他方の開口１２寄り位置で吹出口本体１０の内部流路を上下に分ける仕切り部４０を設けて、シャッター部２０を閉止すると、内部流路における流路断面積の減少で気流の速度を大きくすると共に、仕切り部４０の案内作用でシャッター部２０の気流進行方向下流側に相対的に圧力の低い領域を生じさせて、他方の開口１２からの気流の吹出方向を下方にずらしやすい状態が得られることから、各案内羽根３０を下に傾ける調整と合わせて、吹出口本体１０内部のシャッター部２０を閉じるようにすると、流速を大きくした調和空気の気流を無理なく斜め下向きに吹出せることとなり、暖房の場合にこの斜め下向きの吹出しを行うようにすれば、暖気が室内空間を斜め下向きに進みながら周囲の室内空気と強力に混合して、室内に拡散する状態とすることができ、吹出された暖気の上昇や天井６０に沿って暖気が進むのを防ぎ、暖気と室内空気との混合を効率よく進行させて室内の暖房効果を高められる。
【００６９】
なお、前記実施形態に係る吹出口装置において、案内羽根３０を５つ配設する構成としているが、これに限られるものではなく、吹出口から吹き出す調和空気の風量や温度等の条件に基づいて選定される吹出口装置の大きさ、特に他方の開口１２の大きさ、に対応させて、適切な数の案内羽根を配設することができる。
【００７０】
また、前記実施形態に係る吹出口装置においては、シャッター部２０に、固定部２１に対し可動部２２が移動するスライドシャッターを用いる構成としているが、これに限らず、こうしたシャッター部としては、スライドシャッターのような、開閉に関わりなく内部流路に所定の機構部分が常に存在して、それが気流への抵抗体となるもの以外に、気流の通過を許容する開放状態では通過抵抗をほとんど発生させないもの、例えば、バタフライ型ダンパーのような閉止部分が傾動するもの、を採用する構成とすることもできる。
【００７１】
また、前記実施形態に係る吹出口装置においては、吹出口本体１０の横向きの内部流路に通じる、一方の開口１１と他方の開口１２を共に横向きとしているが、これに限られるものではなく、調和空気の供給側となる一方の開口１１は、設置条件や調和空気供給用のダクト等、上流側の機器に対応させて他の向きとすることもできる。
【００７２】
（本発明の第２の実施形態）
前記第１の実施形態に係る吹出口装置においては、吹出口本体１０内に設ける仕切り部４０を平板状に形成する構成としているが、この他、第２の実施形態として、図１２に示すように、仕切り部４０における前記他方の開口１２寄りの所定範囲部分を、傾斜部分４１として、仕切り部４０の他部分に対し傾斜する形状として形成する構成とすることもできる。
【００７３】
この仕切り部４０の傾斜部分４１の傾斜角度については、この傾斜部分４１の先端を他方の開口１２の下端部側に向ける所定角度となるよう設定する。例えば、仕切り部４０の他部分を他方の開口１２寄り側へ延長したものに相当する仮想水平面に対し、傾斜部分４１のなす角が約７．５°となるように設定するのが好ましい。この場合、仕切り部４０に沿って内部流路を進んだ気流が、そのまま傾斜部分４１に沿って斜め下向きに進行方向を変えて、吹出口本体１０の他方の開口１２の下端部に達し、この開口下端部を経て室内空間７０に進むこととなる。
【００７４】
この仕切り部傾斜部分４１から開口下端部に達する気流が、吹出口本体１０の内部流路のうち仕切り部４０より下側部分を室内空間から隔離する状態として、室内空気が他方の開口１２からシャッター部２０より気流進行方向下流側の低い圧力となる領域に向かうのを阻止でき、冷房の場合に吹出気流との接触で冷えた仕切り部４０やシャッター部２０、吹出口本体１０の内周面に温かい室内空気が接して結露が発生するのを確実に防止できる。
【００７５】
（本発明の第３の実施形態）
本発明の第３の実施形態に係る吹出口装置を、前記図１３ないし図２５に基づいて説明する。本実施形態では、ホテルの客室の下がり天井部に設けられる吹出口装置の例について説明する。
【００７６】
前記各図において本実施形態に係る吹出口装置１は、前記第１の実施形態と同様、吹出口本体１０と、シャッター部２０と、案内羽根３０と、仕切り部４０と、抵抗体５０とを備える一方、異なる点として、シャッター部２０の開放度合いを二段階にさらに切替可能とすると共に、案内羽根３０の斜め向き状態の傾斜角度を二段階にさらに切替可能として、制御部８０の制御により、シャッター部２０と案内羽根３０とを、各々選択可能な三つの状態のいずれかに切替調整して、使用者により設定された吹出状態に対応させることに加えて、使用者が入室する前の室内空間に先行して空気調和を行う場合に対応した吹出状態を得る構成を有するものである。
【００７７】
特に、シャッター部２０と案内羽根３０の各状態の切替を制御する制御部８０は、吹出口装置の空気調和対象となる室内空間（客室）ごとに配設されて、他の室内空間に対応する吹出口装置の制御部と共に、前記外部制御手段としての中央制御部９０と通信可能に接続されて一システムを形成しており（図１３参照）、使用者入室前の室内空間への先行空気調和に係る制御の可否や、先行空気調和の実行タイミングの指令等の制御情報を受け取るものである。
【００７８】
前記中央制御部９０は、ホテルの客室ごとの各吹出口装置１の制御部８０と接続され、各制御部８０に対して、それらの室内空間への先行空気調和に係る制御を許可するか否かを決定し、制御許可の指令を送る制御を行うと共に、ホテルにおいてチェックインアウトの情報や予約情報を取り扱うホテルの客室管理システム１００と接続されて、使用者のチェックインやチェックアウトの事実を取得して情報として制御部８０に送信する制御や、使用者のチェックインの事実、すなわち、このチェックイン後の使用者が室内空間（客室）へ所定時間後には入室するという確定情報、に基づいて、先行空調指示情報を制御部８０に送る制御、及び、使用者の予約情報に基づくチェックイン予定時刻などの各種情報を取得し、それらに基づく制御指令を制御部８０に送る制御を行うものである。
なお、本実施形態における吹出口本体１０、仕切り部４０、及び抵抗体５０は、前記第１の実施形態と同様の構成であり、詳細な説明を省略する。
【００７９】
前記シャッター部２０は、前記第１の実施形態同様、吹出口本体１０内で内部流路下部を横断する配置として設けられるスライドシャッターであり、固定部２１に対し可動部２２を駆動部２３により動かして、内部流路の下側所定範囲を開閉可能とする構成である。
【００８０】
シャッター部２０は、前記第１の実施形態と同様に、開放状態と閉止状態とを切替可能とされる一方、異なる点として、開放状態における開放度合いを全開放状態と半開放状態の二段階にさらに切替可能とされて、制御部８０で制御された駆動部２３の駆動で作動し、全開放状態と半開放状態と閉止状態との三つの状態のいずれかに切替調整される構成である。
【００８１】
詳細には、制御部８０により制御される駆動部２３が、制御指令を受けて突出片２４を動かし、突出片２４を取り付けた可動部２２を固定部２１に対しスライド移動させて、可動部２２と固定部２１の開口部同士が全て重なり合って開放部分２５を最大面積で生じさせる全開放状態と、開口部同士が少しずれた状態で重なり合って開放部分２５を前記全開放状態の半分の面積で生じさせる半開放状態（図１４参照）と、開口部同士が互いにずれて全く重なり合わない閉止状態とを切替える仕組みである。
【００８２】
そして、このシャッター部２０は、制御部８０における使用者により設定された吹出状態に対応する制御に基づいて、全開放状態と半開放状態とを切替えられると共に、制御部８０の使用者が入室する前の室内空間への先行空気調和を実行する制御に基づいて、開放状態と閉止状態とを切替えられることとなる。
【００８３】
調和空気の気流速度は、シャッター部２０の全開放状態で最も小さくなり、シャッター部２０を半開放状態、閉止状態と切り替えるごとに速度を大きくすることができる。
ただし、シャッター部２０の閉止状態では、室内空間の居住域で気流がドラフトとして感じられる程度に過剰に大きい気流速度となることから、室内空間に使用者が存在する在室状態では、シャッター部２０は全開放状態と半開放状態のいずれかとなるようにされ、使用者が入室する前に室内空間に対し先行空気調和を実行する場合にのみ、シャッター部２０は閉止状態に切替えられる。
【００８４】
前記案内羽根３０は、前記第１の実施形態同様、略薄板状とされ、吹出口本体１０内における他方の開口１２近傍部分に傾動可能として複数配設される構成であり、駆動部３１でアーム３２を介して連結板３３を上又は下に移動させることで向きを調整可能とされる一方、異なる点として、斜め向き状態としての羽根傾斜角度を二段階にさらに切替可能とされて、制御部８０で制御された駆動部３１により、横向き状態と二つの斜め向き状態との計三つの状態のいずれかに切替調整される構成を有するものである。
【００８５】
詳細には、制御部８０により制御される駆動部３１が、制御指令を受けてアーム３２を傾動させ、アーム３２に連結された連結板３３を上又は下に移動させ、この連結板３３に端部を連結された各案内羽根３０をそれぞれ傾動させて、羽根全体がほぼ水平となる横向き状態と、羽根全体が横向き状態の位置から約２１°傾いた第一の斜め向き状態と、羽根全体が横向き状態の位置から約５２°傾いた第二の斜め向き状態とを切替える仕組みである。
【００８６】
そして、この案内羽根３０は、制御部８０における使用者により設定された吹出状態に対応する制御に基づいて、横向き状態と第一の斜め向き状態とを切替えられると共に、制御部８０の使用者が入室する前の室内空間への先行空気調和を実行する制御に基づいて、第二の斜め向き状態と他の二状態とを切替えられることとなる。
【００８７】
案内羽根３０に案内された調和空気の吹出方向は、案内羽根３０の横向き状態での水平方向から、案内羽根３０を第一の斜め向き状態、第二の斜め向き状態と切替えるごとに、より下寄りとすることができる。
【００８８】
ただし、案内羽根３０の第二の斜め向き状態では、案内羽根３０に案内されて斜め下向きに吹出す調和空気の気流が主に室内空間下方の居住域に進行して、調和空気の気流が居住域でドラフトとして感じられる程度に過剰な下向きの速度成分を残留させる状態となることから、室内空間に使用者が存在する在室状態では、案内羽根３０は横向き状態と第一の斜め向き状態のいずれかとなるようにされ、使用者が入室する前に室内空間に対し先行空気調和を実行する場合にのみ、案内羽根３０は第二の斜め向き状態に切替えられる。
【００８９】
前記制御部８０は、室内の使用者により操作スイッチ８１の操作を経て設定された吹出状態に対応して、吹出口本体１０内のシャッター部２０を全開放状態と半開放状態との二状態のいずれかに切替調整すると共に、案内羽根３０を横向き状態と第一の斜め向き状態との二状態のいずれかに切替調整するものである。また、制御部８０は、使用者が入室する前に室内空間に先行して空気調和を行って、入室時の室内環境を整える、先行空気調和に係る制御も行うものである。
【００９０】
詳細には、制御部８０は、室内空間に対する先行空気調和として、外部制御手段としての中央制御部９０から先行空調指示情報を受け取ると、シャッター部２０を閉止状態にすると共に、案内羽根３０を第二の斜め向き状態として、開口１２から斜め下向きに吹出される調和空気が室内空間における居住域に気流として直接到達する空気調和状態を得る制御を行う。
【００９１】
この制御部８０による制御で、先行空気調和として、シャッター部２０が閉止状態とされ、案内羽根３０が横向き状態から大きく傾いた第二の斜め向き状態とされて、吹出口本体１０の他方の開口１２から気流速度を大きくされた調和空気が案内羽根３０に案内されて下寄りの斜め下向きに吹出され、仮に室内空間に使用者が存在する在室状態の場合にはこの調和空気の気流が居住域でドラフトとして感じられる程度に相当する、大きな気流速度で室内空間下方の居住域に達するような吹出状態で空気調和が行われることとなる。
【００９２】
これによって、居住域での調和空気と室内空気との混合に伴う調和空気の拡散が急速に進行して、短時間で効率よく室内空気の温度を上昇又は低下させて空気調和の設定温度に移行させることができ、使用者の室内空間（客室）への入室時には、室内空気が設定温度に達した状態が得られ、室内空間の快適性を高めて使用者の満足度を向上させられる。
【００９３】
なお、制御部８０に対し、中央制御部９０が先行空調指示情報を送る制御は、使用者が室内空間（客室）へ所定時間後には入室するという確定情報に基づいてなされるが、この確定情報としては、例えば、ホテルのフロント等で得られる、使用者のチェックインの事実を用いることができる。詳細には、例えば使用者の予約の事実だけでは、使用者が予約のスケジュール通りに行動しない場合もあり、実際に使用者が室内空間に入室するとは限らないが、フロントでのチェックインを経た場合、チェックイン後の使用者は、少なくともフロントから客室に達する所定時間（例えば数分から十数分）後には室内空間（客室）へ入室するのが通例であることに基づいて、使用者のチェックインの事実を、使用者が室内空間へ入室することの確定情報として取り扱うことができる。
【００９４】
この他、制御部８０は、使用者が室内空間（客室）に入室する前又は入室と同時に、より詳細には、室内空間に使用者が入室する直前の時点か、使用者の入室が検出された時点で、シャッター部２０を閉止状態から開放状態（全開放状態又は半開放状態）に切替えると共に、案内羽根３０を第二の斜め向き状態から第一の斜め向き状態又は横向き状態に切替えて、吹出された調和空気の気流が室内空間における居住域には直接到達しない状態とする制御を行う。
【００９５】
これによって、使用者の室内空間への入室後の在室状態で、先行空気調和の実行が誤って継続して、室内空間に吹出される調和空気の気流が居住域に達し、使用者にとってドラフトとなって不快感を与えることを防げる。
【００９６】
制御部８０における、室内空間に使用者が入室する直前の状況の取得は、例えば、中央制御部９０で得た、使用者が室内空間へ所定時間後に入室する確定情報としての、使用者のチェックインの事実に係る情報に基づいて、チェックインの時刻からの経過時間をカウントすると共に、この制御部８０又は中央制御部９０で、使用者がチェックイン地点から室内空間の前に到達するまでの予想移動時間をあらかじめ移動距離や歩行速度等に基づいて算出して、カウントされた経過時間が前記予想移動時間に達した時を、使用者が入室する直前として取得する、という手順で行うことができる。
【００９７】
また、制御部８０における、室内空間への使用者の入室の事実の取得は、例えば、室内空間やその近傍にあらかじめ設置された、室内空間（客室）への使用者の入室をドア開閉動作に基づき検出するドアセンサやスイッチ、室内での使用者の感知に基づき入室を検出する室内の人感センサ等の検出手段を制御部８０と接続して、検出情報を制御部８０で受け取ることにより可能である。
【００９８】
室内空間（客室）に対し、人感センサやモーションセンサ等による在室監視やドアロック等のセキュリティ管理を行うセキュリティシステム１１０が別途設けられている場合、制御部８０は、こうしたセキュリティシステム１１０と直接又は中央制御部９０を介して通信可能に接続して、在室検出情報や解錠に係る情報等から入室の事実を取得可能とすることもできる。この場合、使用者の入室に係る検出手段を別途設けずに済む。
【００９９】
制御部８０はさらに、室内空間に設けられた使用者の入力操作を受け付ける操作スイッチ８１とも接続されることで、使用者の設定した吹出状態に基づいて吹出口装置１のシャッター部２０や案内羽根３０の調整制御を行える仕組みである。
【０１００】
加えて、制御部８０は、室内温度や外気温度の情報を取得可能とされ、得られた温度情報に基づいて適切な吹出状態となるように吹出口装置各部の制御を行うものである。一方、制御部８０は、室内温度と外気温度との差異から、先行空気調和を暖房と冷房のいずれとして実行するか判定する機能を有する。制御部８０で室内温度と外気温度の情報を取得する場合、室内温度を検出するセンサ８２や外気温度を検出するセンサ８３を設けて、これらセンサと制御部８０を直接接続して情報を取得する構成とする以外に、こうした温度情報を取り扱う既設の他の装置から情報を取得するようにすることもできる。
【０１０１】
そして、制御部８０は、室内温度の情報を取得して、室内温度が空気調和の設定温度に達しているか否かを判別できることから、室内空間に使用者が入室する直前時点や、使用者の入室検出時よりも前に、室内温度が空気調和の設定温度に達したと認めた場合には、この設定温度到達時点で、先行空気調和から、調和空気の気流が居住域に直接到達しない、使用者の在室状態に対応した空気調和に切り替えるようにすることもできる。この場合、入室に先行して空気調和状態を確実に切り替えられることで、使用者の予想移動時間の誤った見積もりに基づいた、使用者の実際の入室より後での入室直前時点取得や、使用者入室時の入室検出の不調で、使用者が入室しているにも拘わらず先行空気調和が継続して、室内の使用者に不快感を与えるリスクを回避できることとなる。
【０１０２】
また、制御部８０は、吹出口装置１に調和空気を供給する空調機２００が、室内空間（客室）ごとに対応するものである場合は、この空調機２００の制御、例えば、調和空気の温度や風量の調整に係る制御、を行う空調機制御部を兼ねるものとすることもできる。
【０１０３】
その場合、制御部８０は、空調機制御用として設けられた、室内温度を検出するセンサや、外気温度を検出するセンサからの、室内温度や外気温度の情報を取得可能とされ、得られた室内温度と外気温度との差異から、空調機２００の制御とは別に、先行空気調和として暖房と冷房のいずれを実行するかの判定も行うこととなる。なお、制御部８０で空調機２００の制御を行う場合、吹出口装置１におけるシャッター部２０の開度調整制御に代えて、空調機側で吹出口装置における調和空気の吹出速度が変化するようにファン等の調整制御を行うようにすることもできる。
【０１０４】
これとは逆に、空調機２００が例えばホテル等建物側で集中管理されて、吹出口装置１とは別途に制御される場合であっても、制御部８０は空調機２００の制御情報から空気調和が暖房と冷房のいずれで行われているかを取得して、吹出口装置１の制御に利用するようにすることもできる。
【０１０５】
前記中央制御部９０は、そのハードウェア構成として、ＣＰＵや記憶部、入出力インターフェース等を備えるコンピュータとなっており、記憶部に格納されるプログラムにより、コンピュータを中央制御部９０として動作させる仕組みである。
【０１０６】
前記客室管理システム１００が、ホテルのフロントにおける情報管理用のデータベース等として機能する既設のコンピュータの場合、中央制御部９０は、この客室管理システム１００をなすコンピュータで付加的に実現される機能として設けることもできる。逆に、中央制御部９０をなすコンピュータシステムが、客室管理システムを兼ねるものであってもよい。また、客室管理システム１００の機能が、ネットワーク上のサーバにより提供される（いわゆるクラウドコンピューティングによりホテルに係る諸情報が管理運用されている）場合は、中央制御部９０は、ネットワーク経由で予約情報等を参照して、予約情報に基づくチェックイン予定時刻などの情報を取得するようにすることができる。
【０１０７】
この他、室内空間（客室）への使用者（利用客）の入室を、人感センサ等を通じて客室管理システム１００で把握、管理している場合は、そうした入室に係る情報を中央制御部９０で取得し、さらに制御部８０での入室判定に利用可能とすることもでき、この場合も使用者の入室に係る検出手段を別途設けずに済むこととなる。
【０１０８】
なお、中央制御部９０は、使用者のチェックインの事実を入室の確定情報として、それが得られた時点で先行空調指示情報を制御部８０に送って、吹出口装置で室内空間に対する先行空気調和が開始されるようにしているが、これに限らず、予約情報から取得したチェックイン予定時刻に基づいて、それより前となる所定の先行空調開始時、すなわち、先行空気調和で入室予定時刻の前に十分に設定温度に到達させられる時間を確保可能な開始時点、を設定し、先行空調指示情報を前記先行空調開始時に対象の吹出口装置の制御部８０に送信して、実際のチェックインより前に先行空気調和が開始されるようにすることもでき、予約のスケジュール通りに、チェックイン予定時刻に使用者のチェックインがなされる場合には、室内空間を確実に設定温度に到達させた上で入室を待つ状態が得られ、使用者にとっての室内空間の快適性をより確かなものとすることができる。
【０１０９】
次に、本実施形態に係る吹出口装置における吹出制御について、図１５ないし図１７のフローチャートを用いて説明する。
前提として、制御部８０は、空調機２００の制御とは独立して、吹出口装置１のみを対象として制御を行うものとする。そして、空調機２００は、暖房や冷房が必要な室内温度条件の場合は、自動的に適切な温度の調和空気を吹出口装置１に送給しているものとする。また、制御部８０は、室内温度と外気温度に係る情報を、これらを検出する室内外のセンサ８２、８３から直接得ているものとする。
【０１１０】
さらに、制御部８０は、室内空間への使用者の入室が検出された時点で、先行空気調和を終了して通常の使用者在室状態に対応する空気調和に切替える制御を行うものとし、室内空間への使用者の入室の事実の取得については、室内空間（客室）のドアに設けられたドアロックを利用したホテルの既存のセキュリティシステム１１０と制御部８０とを中央制御部９０を介して接続して、解錠に係る情報から入室の事実を取得できるものとする。
【０１１１】
初めに、制御部８０は、中央制御部９０からの室内空間（客室）ごとの先行空気調和に係る制御の許可信号が入力されたか否か、すなわち、室内空間（客室）ごとの先行空気調和の実行が許容されたか否かを判定する（ステップＳ００１）。
【０１１２】
ここで制御許可信号が入力された場合、制御部８０は、室内温度が、空気調和実行の目安となる、快適と見なせる設定温度の範囲から外れているか否かを判定する（ステップＳ００２）。
室内温度が前記範囲から外れている場合、次に、制御部８０は、室内温度は暖房の対象となる、設定温度範囲より低い温度となっているか否かを判定する（ステップＳ００３）。
【０１１３】
室内温度が前記範囲より低い暖房対象の温度の場合、制御部８０は空気調和状態を暖房モードに設定して、空調機２００から供給される調和空気が暖房用の温度に調整されているものとして取り扱う（ステップＳ００４）。
【０１１４】
続いて、制御部８０は、室内空間に対応する使用者のチェックイン手続等で入室確定となったことに基づいて中央制御部９０から送られる、先行空調指示情報の制御部８０への入力がなされたか否かを判定する（ステップＳ００５）。
【０１１５】
先行空調指示情報の入力がなされた場合、制御部８０は吹出口装置の各機構を先行空気調和に対応した状態、詳細には、シャッター部２０が閉止状態で、案内羽根３０が第二の斜め向き状態、となるようにする（ステップＳ００６）。
この時、空調機２００は適切な温度の調和空気を送給しているので、先行空気調和が実行されることとなる。
【０１１６】
そして、制御部８０は、セキュリティシステム１１０からのドアロックの解錠に係る情報に基づいて、室内空間への使用者の入室があったか否かを判定する（ステップＳ００７）。
【０１１７】
使用者の入室があった場合、制御部８０は、操作スイッチ８１が使用者（利用客）による操作を受けたか否かを判定する（ステップＳ００８）。
操作スイッチ８１が操作を受けた場合には、制御部８０は、吹出口装置の各機構を操作スイッチ８１で設定された吹出状態となるようにする（ステップＳ００９）。
【０１１８】
その後、制御部８０は、中央制御部９０を介して得られる客室管理システム１００の管理情報に基づいて、使用者（利用客）がチェックアウトしたか否かを判定する（ステップＳ０１０）。ここで使用者がチェックアウトしている場合は、一連の処理を終了する。
前記ステップＳ０１０で使用者がチェックアウトしていない場合は、ステップＳ００１に戻って以降の処理を繰り返す。
【０１１９】
前記ステップＳ００８で操作スイッチ８１が使用者の操作を受けていない場合は、制御部８０は、吹出口装置の各機構を、使用者の在室時に対応した通常の暖房用の初期設定状態、詳細には、シャッター部２０が全開放状態で、案内羽根３０が第一の斜め向き状態、となるようにする（ステップＳ０１１）。その後、ステップＳ０１０の処理に移行する。
【０１２０】
前記ステップＳ００７で、使用者の入室がない場合、制御部８０は、ステップＳ００７の判定処理を繰り返す。また、前記ステップＳ００５で、先行空調指示情報の入力がなされていない場合、前記ステップＳ００８に移行し、以降の処理を繰り返す。
【０１２１】
前記ステップＳ００３で、室内温度が設定温度範囲より低い温度ではなく、逆に高い温度の場合、制御部８０は空気調和状態を冷房モードに設定して、空調機２００から供給される調和空気が冷房用の温度に調整されているものとして取り扱う（ステップＳ０１２）。
【０１２２】
続いて、制御部８０は、室内空間に対応する使用者のチェックイン手続等で入室確定となったことに基づいて、中央制御部９０からの先行空調指示情報の制御部８０への入力がなされたか否かを判定する（ステップＳ０１３）。
【０１２３】
先行空調指示情報の入力がなされた場合、制御部８０は吹出口装置の各機構を冷房の先行空気調和に対応した状態、詳細には、前記同様、シャッター部２０が閉止状態で、案内羽根３０が第二の斜め向き状態、となるようにする（ステップＳ０１４）。
【０１２４】
この時、空調機２００は適切な温度の調和空気を送給しているので、先行空気調和が冷房として実行されることとなる。
そして、制御部８０は、セキュリティシステム１１０からのドアロックの解錠に係る情報に基づいて、室内空間への使用者の入室があったか否かを判定する（ステップＳ０１５）。
【０１２５】
使用者の入室があった場合、制御部８０は、操作スイッチ８１が使用者による操作を受けたか否かを判定する（ステップＳ０１６）。操作スイッチ８１が操作を受けた場合には、制御部８０は、吹出口装置の各機構を操作スイッチ８１で設定された吹出状態となるようにする（ステップＳ０１７）。
この後は、前記ステップＳ０１０に移行し、使用者がチェックアウトしたか否かを判定することとなる。
【０１２６】
前記ステップＳ０１６で、操作スイッチ８１が使用者の操作を受けていない場合は、制御部８０は、吹出口装置の各機構を、使用者の在室時に対応した通常の冷房用の初期設定状態、詳細には、シャッター部２０が全開放状態で、案内羽根３０が横向き状態、となるようにする（ステップＳ０１８）。その後、ステップＳ０１０の処理に移行する。
【０１２７】
前記ステップＳ０１５で、使用者の入室がない場合、制御部８０は、ステップＳ０１５の判定処理を繰り返す。
前記ステップＳ０１３で、先行空調指示情報の入力がなされていない場合、前記ステップＳ０１６に移行し、以降の処理を繰り返す。
【０１２８】
前記ステップＳ００２で、室内温度が設定温度の範囲から外れていない場合、制御部８０は、制御部８０は空気調和状態を送風モードに設定して、空調機２００から供給される調和空気が特に温度調整されていないものとして取り扱う（ステップＳ０１９）。
【０１２９】
続いて、制御部８０は、操作スイッチ８１が使用者による操作を受けたか否かを判定する（ステップＳ０２０）。操作スイッチ８１が操作を受けた場合には、制御部８０は、吹出口装置の各機構を操作スイッチ８１で設定された吹出状態となるようにする（ステップＳ０２１）。
そして、この後は、前記ステップＳ０１０に移行し、使用者がチェックアウトしたか否かを判定することとなる。
【０１３０】
前記ステップＳ０２１で、操作スイッチ８１が使用者の操作を受けていない場合は、制御部８０は、吹出口装置の各機構を、使用者の在室時に対応した通常の送風用の初期設定状態、例えば、シャッター部２０が全開放状態で、案内羽根３０が横向き状態、となるようにする（ステップＳ０２２）。その後、ステップＳ０１０の処理に移行する。
【０１３１】
前記ステップＳ００１で、制御部８０に先行空気調和に係る制御許可信号が入力されていない場合は、制御部８０は、室内温度が、空気調和実行の目安となる、快適と見なせる設定温度の範囲から外れているか否かを判定する（ステップＳ０２３）。
【０１３２】
室内温度が前記範囲から外れている場合、次に、制御部８０は、室内温度は暖房の対象となる、設定温度範囲より低い温度となっているか否かを判定する（ステップＳ０２４）。
室内温度が前記範囲より低い暖房対象の温度の場合、制御部８０は空気調和状態を暖房モードに設定して、空調機２００から供給される調和空気が暖房用の温度に調整されているものとして取り扱う（ステップＳ０２５）。
【０１３３】
そして、制御部８０は、吹出口装置の各機構を、使用者の在室時に対応した通常の暖房用の初期設定状態、詳細には、シャッター部２０が全開放状態で、案内羽根３０が第一の斜め向き状態、となるようにする（ステップＳ０２６）。その後、ステップＳ０１０の処理に移行する。
【０１３４】
前記ステップＳ０２４で、室内温度が設定温度範囲より低い温度ではなく、逆に高い温度の場合、制御部８０は空気調和状態を冷房モードに設定して、空調機２００から供給される調和空気が冷房用の温度に調整されているものとして取り扱う（ステップＳ０２７）。
【０１３５】
そして、制御部８０は、吹出口装置の各機構を、使用者の在室時に対応した通常の冷房用の初期設定状態、詳細には、シャッター部２０が全開放状態で、案内羽根３０が横向き状態、となるようにする（ステップＳ０２８）。その後、ステップＳ０１０の処理に移行する。
【０１３６】
前記ステップＳ０２３で、室内温度が設定温度の範囲から外れていない場合、制御部８０は、制御部８０は空気調和状態を送風モードに設定して、空調機２００から供給される調和空気が特に温度調整されていないものとして取り扱う（ステップＳ０２９）。
【０１３７】
そして、制御部８０は、吹出口装置の各機構を、使用者の在室時に対応した通常の送風用の初期設定状態、例えば、シャッター部２０が全開放状態で、案内羽根３０が横向き状態、となるようにする（ステップＳ０３０）。その後、ステップＳ０１０の処理に移行する。
【０１３８】
なお、前記吹出口装置における吹出制御では、制御部８０は室内空間への使用者の入室の検出に基づいて、先行空気調和から通常の使用者在室状態に対応する空気調和に切替えるようにし、使用者の入室は、セキュリティシステム１１０の解錠に係る情報から入室の事実を把握するものとしているが、これに限らず、制御部８０は、室内空間に使用者が入室する直前の時点で、先行空気調和から通常の使用者在室状態に対応する空気調和状態に切替えるものとし、室内空間に使用者が入室する直前の状況の取得は、使用者のチェックインの事実に係る情報を得て、このチェックインの時刻からの経過時間を制御部８０でカウントすると共に、使用者がチェックイン地点から室内空間の前に到達するまでの予想移動時間をあらかじめ移動距離や歩行速度等に基づいて中央制御部９０で算出したものを制御部８０で取得して、カウントされた経過時間が前記予想移動時間に達した時を、使用者が入室する直前の時として取り扱うものとすることもできる。
【０１３９】
この他、制御部８０は、室内空間への使用者の入室の検出前や、室内空間に使用者が入室する直前時点に達する前に、検出した室内温度が空気調和の設定温度に達した場合には、そのタイミングで先行空気調和から通常の使用者在室状態に対応する空気調和への切替を実行するようにしてもよい。
【０１４０】
続いて、本実施形態に係る吹出口装置における調和空気吹出状態について説明する。前提として、ダクト６１を通じて吹出口装置１に対し空調機２００から調和空気が継続的に供給される状況にあるものとする。
【０１４１】
先行空調指示情報が入力されると、制御部８０は、シャッター部２０の駆動部２３や案内羽根３０の駆動部３１の作動を制御し、シャッター部２０の開放度合いと案内羽根３０の向きを先行空気調和に対応した状態に切替える。
【０１４２】
具体的には、吹出口装置の吹出状態が先行空気調和に対応したものに設定されると、シャッター部２０を開放状態から閉止状態に切替える必要がある場合は、制御部８０の制御に基づいてシャッター部２０の駆動部２３が作動し、この駆動部２３と連結する突出片２４を直線移動させ、この突出片２４と一体のシャッター部２０の可動部２２を固定部２１に対しスライド移動させることで、シャッター部２０を閉止状態に切替える。
【０１４３】
また、案内羽根３０の向きについても、それまでの向きから先行空気調和に対応する第二の斜め向き状態に切替える必要がある場合は、制御部８０の制御に基づいて、駆動部３１が作動してアーム３２を傾動させ、この駆動部３１のアーム３２と連結する連結板３３を上に移動させ、この連結板３３に端部を連結された各案内羽根３０をその傾動中心軸周りにそれぞれ傾動させることで、案内羽根３０を第二の斜め向き状態に切替える。
【０１４４】
この先行空気調和に対応して、シャッター部２０が閉止状態とされ、案内羽根３０が第二の斜め向き状態とされた場合の吹出状態について説明する（図１８、図１９参照）。この場合、ダクト６１から送られた調和空気が、吹出口本体１０の一方の開口１１を経てシャッター部２０と抵抗体５０に達するが、調和空気は閉止状態のシャッター部２０を通過できないことから、抵抗体５０のみを通過する。
【０１４５】
このため、調和空気は抵抗体５０を通過して、吹出口本体１０内の内部流路の、仕切り部４０より上側の流路部分を通ることとなり、調和空気の通過する流路の断面積が、内部流路全体を通る場合より狭くなっていることで、調和空気の流速は大きくなり、この流速を大きくした調和空気が案内羽根３０に到達する。
【０１４６】
案内羽根３０に達した調和空気は、第二の斜め向き状態とされた各案内羽根３０により進行方向を斜め下向きに変えていく。加えて、この時、調和空気は、内部流路のうち仕切り部４０上側の流路部分のみを流速を大きくして通過する一方、仕切り部４０下側の流路部分を通らない状態にある。このため、仕切り部４０下側の流路部分では、上側の流路部分に対し圧力が相対的に低下しており、この圧力を低くした領域に、進行する調和空気の気流が誘引され、結果として調和空気の気流の斜め下向きの進行が促されることとなる。
【０１４７】
こうして、調和空気は内部流路の仕切り部４０上側の流路部分から斜め下向きに進み、斜め向きとされた各案内羽根３０の間を通って、進行方向を斜め下向きとして、他方の開口１２の上部から中央部にかけての領域から室内空間７０に吹出す。
【０１４８】
また、吹出口本体１０内における上下の案内羽根３０を、第二の斜め向き状態で羽根端部が吹出口本体１０の内周面に接するようにしていることで、案内羽根３０と吹出口本体１０との隙間を通じて調和空気の気流が抜けるのを防止でき、気流の下寄りの進行を促せることとなり、調和空気を水平方向から６０°傾いた斜め下向きに吹出すことができる。
【０１４９】
このシャッター部２０が閉止状態とされ、且つ案内羽根３０が第二の斜め向き状態とされた先行空気調和に係る吹出状態では、下がり天井部６５に設けられた吹出口装置から、暖かい調和空気をその吹出速度を大きくした上で下寄りの斜め下向きに吹出すことで、室内空気より軽い暖気である調和空気をすぐに上昇させることなく室内空間の居住域に到達させて、室内空間の居住域で調和空気を室内空気と混合させて急速に拡散させられ、短時間で効率よく居住域の温度を通常暖房時の設定温度に到達させることができる。
【０１５０】
なお、この先行空気調和は暖房に限らず、冷房にも適用できるものであり、吹出速度を大きくした冷調和空気を居住域に到達させることで、暖房の場合同様、短時間で効率よく居住域の温度を通常の冷房時の設定温度に到達させることができる。
【０１５１】
使用者が室内空間に入室する状態に至ったら、制御部８０がシャッター部２０の駆動部２３や案内羽根３０の駆動部３１の作動を制御し、シャッター部２０の開放度合いと案内羽根３０の向きを先行空気調和の場合とは異なる通常在室状態相当の状態まで切替える。すなわち、シャッター部２０を閉止状態から全開放状態又は半開放状態に切替えると共に、案内羽根３０を第二の斜め向き状態から第一の斜め向き状態又は横向き状態に切替えて、吹出される調和空気の気流を居住域には直接到達させない状態として、調和空気の気流が使用者に対しドラフトとならないようにする。
【０１５２】
そして、使用者が室内空間に入室してそのまま室内空間に居続ける在室状態では、前記第１の実施形態同様、使用者の操作により設定された吹出口装置の吹出状態に応じて、制御部８０がシャッター部２０の駆動部２３や案内羽根３０の駆動部３１の作動を制御し、シャッター部２０の開放度合いと案内羽根３０の向きを切替える。
【０１５３】
具体的には、使用者の操作により吹出口装置の吹出状態が設定されると、この設定された吹出状態に対応して、シャッター部２０の開放度合いをそれまでの状態から切替える必要がある場合は、制御部８０の制御に基づいてシャッター部２０の駆動部２３が作動し、この駆動部２３と連結する突出片２４を直線移動させ、この突出片２４と一体のシャッター部２０の可動部２２を固定部２１に対しスライド移動させることで、シャッター部２０を室内空間への新たな空気調和の内容に対応した、それまでと異なる所定の開放状態に切替える。
【０１５４】
また、案内羽根３０の向きについても、設定された吹出状態に対応してそれまでの向きから切替える必要がある場合は、制御部８０の制御に基づいて、駆動部３１が作動してアーム３２を傾動させ、この駆動部３１のアーム３２と連結する連結板３３を上又は下に移動させ、この連結板３３に端部を連結された各案内羽根３０をその傾動中心軸周りにそれぞれ傾動させることで、案内羽根３０を室内空間への新たな空気調和の内容に対応した、それまでと異なる所定の向きに切替える。
【０１５５】
吹出状態の設定に応じて、シャッター部２０が全開放状態とされ、案内羽根３０が横向きとされた状態（図４、図５参照）では、ダクト６１から送られた調和空気は、吹出口本体１０の一方の開口１１から吹出口本体１０内に進入する。この調和空気は、吹出口本体１０内のシャッター部２０と抵抗体５０に達する。
【０１５６】
調和空気は、全開放状態のシャッター部２０と抵抗体５０の両方を通過し、吹出口本体１０内の内部流路の、仕切り部４０を挟む上側の流路部分と下側の流路部分の両方を通って、室内空間寄りに位置する案内羽根３０に到達する。
【０１５７】
案内羽根３０に達した調和空気は、上下に並んだ各案内羽根３０の間を進み、横向きとされた各案内羽根３０に案内され、進行方向を水平として、他方の開口１２のほぼ全域から室内空間７０に吹出す。
【０１５８】
このシャッター部２０が全開放状態とされ、且つ案内羽根３０が横向きとされて、他方の開口１２のほぼ全域から調和空気を水平に吹出す状態は、冷房時に主に利用されるものであり、下がり天井部６５に設けられた吹出口装置から冷気を水平に吹出すことで、室内空気より重い冷気をすぐには下降させずに室内空間を遠方まで到達させることができる。
【０１５９】
また、調和空気の流路を絞り込まず、吹出速度を過度に大きくしないことで、室内空間が狭い場合に冷気の気流が速度を低下させずに居住域に達してドラフトとなるのを確実に防止できる。
【０１６０】
続いて、吹出状態の他の設定に応じて、シャッター部２０が半開放状態とされ、案内羽根３０が横向きとされた状態について説明する（図２０、図２１参照）。この状態では、ダクト６１から送られた調和空気が、前記同様に吹出口本体１０の一方の開口１１を経てシャッター部２０と抵抗体５０に達する。
【０１６１】
調和空気は、半開放状態のシャッター部２０と抵抗体５０の両方を通過するが、シャッター部２０が半開放状態となって、調和空気の通過する開放部分２５の開口面積が、前記全開放状態の場合より小さくなっていることで、シャッター部２０と抵抗体５０を通過する調和空気の流速は大きくなる。この流速を大きくした調和空気が、吹出口本体１０内の内部流路の、仕切り部４０を挟む上側の流路部分と下側の流路部分の両方を通って、案内羽根３０に到達する。
【０１６２】
案内羽根３０に達した調和空気は、横向きとされた各案内羽根３０により進行方向をそのまま水平として進行していく。この時、調和空気は、シャッター部２０が半開放状態となった分、流速を大きくした状態にあるものの、各案内羽根３０による案内はシャッター部２０が全開放状態の場合と特に変わりなく、調和空気は他方の開口１２のほぼ全域から室内空間７０に吹出す。
【０１６３】
このシャッター部２０が半開放状態とされ、且つ案内羽根３０が横向きとされて、他方の開口１２から調和空気を水平に吹出す状態も、冷房時に主に利用されるものであり、下がり天井部６５に設けられた吹出口装置から、冷気をその吹出速度を大きくした上で水平に吹出すことで、室内空気より重い冷気を下降させることなく天井に沿わせて室内空間の遠方まで到達させることができ、室内空間が広い場合でも冷気を室内空間全体に拡散させて効率よく冷房を行え、冷房効果を確実に得られる。
【０１６４】
また、吹出状態のさらに他の設定に応じて、シャッター部２０が半開放状態とされ、案内羽根３０が第一の斜め向きとされた状態について説明する（図２２、図２３参照）。この状態では、ダクト６１から送られた調和空気が、吹出口本体１０の一方の開口１１を経てシャッター部２０と抵抗体５０に達して、半開放状態のシャッター部２０と抵抗体５０の両方を通過する。ただし、シャッター部２０が半開放状態となって、調和空気の通過する開放部分２５の開口面積が、全開放状態の場合より小さくなっていることで、シャッター部２０と抵抗体５０を通過する調和空気の流速は大きくなる。この流速を大きくした調和空気が、吹出口本体１０内の内部流路の、仕切り部４０を挟む上側の流路部分と下側の流路部分の両方を通って、案内羽根３０に到達する。
【０１６５】
案内羽根３０に達した調和空気は、流速を大きくした状態のままで、上下に並んだ各案内羽根３０の間を進み、斜め向きとされた各案内羽根３０に案内され、進行方向を斜め下向きに変えて、他方の開口１２のほぼ全域から室内空間７０に吹出す。
【０１６６】
このシャッター部２０が半開放状態とされ、且つ案内羽根３０が斜め下向きとされて、他方の開口１２から調和空気を斜め下向きに吹出す状態は、暖房時に主に利用されるものであり、下がり天井部６５に設けられた吹出口装置から、暖気をその吹出速度を大きくした上で斜め下向きに吹出すことで、室内空気より軽い暖気をすぐに上昇させることなく室内空間の遠方まで到達させることができ、室内空間が広い場合でも暖気を室内空間全体に拡散させて効率よく暖房を行え、暖房効果を確実に得られる。
【０１６７】
さらに、吹出状態の別の他の設定に応じて、シャッター部２０が全開放状態とされ、案内羽根３０が斜め向きとされた状態について説明する（図２４、図２５参照）。この状態では、ダクト６１から送られた調和空気が、吹出口本体１０の一方の開口１１を経てシャッター部２０と抵抗体５０に達し、全開放状態のシャッター部２０と抵抗体５０の両方を通過し、吹出口本体１０内の内部流路の、仕切り部４０を挟む上側の流路部分と下側の流路部分の両方を通って、室内空間寄りに位置する案内羽根３０に到達する。
【０１６８】
案内羽根３０に達した調和空気は、上下に並んだ各案内羽根３０の間を進み、斜め向きとされた各案内羽根３０に案内され、進行方向を斜め下向きとして、他方の開口１２のほぼ全域から室内空間７０に吹出す。
【０１６９】
このシャッター部２０が開放状態とされ、且つ案内羽根３０が斜め下向きとされて、他方の開口１２のほぼ全域から調和空気を斜め下向きに吹出す状態も、暖房時に主に利用されるものであり、下がり天井部６５に設けられた吹出口装置から、暖気を斜め下向きに吹出すことで、室内空気より軽い暖気をすぐに上昇させることなく室内空間の遠方まで到達させられ、効率よく暖房を行える。
【０１７０】
また、調和空気の流路をシャッター部２０で絞り込まず、吹出速度を過度に大きくしないことで、室内空間が狭い場合に暖気の気流が速度を低下させずに居住域に達してドラフトとなるのを防止できる。
【０１７１】
このように、本実施形態に係る吹出口装置においては、室内空間へ使用者が所定時間後に入室することがほぼ確定した状況に至ると、先行空気調和として、制御部８０による制御に基づき、シャッター部２０が閉止状態とされると共に、案内羽根３０が調和空気を下寄りの吹出方向に案内する第二の斜め向き状態とされて、吹出口本体１０の他方の開口１２から気流速度を大きくされた調和空気が、案内羽根３０に案内されて室内空間へ下寄りに吹出され、大きな気流速度で室内空間下方の居住域に達することから、居住域での調和空気と室内空気との混合に伴う調和空気の拡散が急速に進行して、短時間で効率よく室内空気の温度を上昇又は低下させて空気調和の設定温度に移行させられ、使用者の入室時における室内空間をより快適な状態とすることができる。
【０１７２】
また、室内空間に使用者が入室した際には、制御部８０がシャッター部２０を開放状態にすると共に、案内羽根３０を横向き状態又は第一の斜め向き状態として、開口１２から吹出された調和空気の気流が居住域には直接到達しない状態とされることで、使用者の室内空間への在室状態で、室内空間に吹出される調和空気の気流が使用者にとってドラフトとなって不快感を与えるようなこともなく、空気調和による室内空間の快適な状態が確実に得られることとなる。
【０１７３】
さらに、先行空気調和により短時間で室内空間を暖房又は冷房の設定温度に到達させる状態が得られることで、例えばホテル客室に適用した場合、チェックインを確認後に空気調和を開始しても十分快適な状態にでき、予約情報に基づいてあらかじめ空気調和を実行する場合のように、予約情報のチェックイン時刻より遅れたチェックインとなったり、チェックインがなかった場合に、結果的に無駄な空気調和エネルギーを費やすことがなくなり、空気調和を効率よく且つコストを抑えて実行できる。この他、予約情報のチェックイン時刻より早いチェックインとなった場合でも、先行空気調和により室内空間を短時間で快適な状態に移行させられ、入室時に使用者により快適な室内空間を提供でき、使用者の満足度を高められる。
【０１７４】
なお、前記実施形態に係る吹出口装置における先行空気調和の実行を含む吹出制御は、室内空間をホテル客室としたホテルのシステムに適用した例として説明しているが、これに限られるものではなく、吹出口装置の空気調和対象となる室内空間への使用者の入室行動が所定時間後にほぼ確実になされることを事前に把握でき、且つこれを把握した時点から使用者の実際の入室までの時間を精度よく予測できるか、入室行動そのものを所定の検出手段で検出可能又は既設のシステムから入室の情報を取得可能であれば、本実施形態に係る吹出口装置による室内空間に対する入室前の先行空気調和は、ホテルの客室以外の室内空間にも問題なく適用可能である。
【０１７５】
また、前記実施形態に係る吹出口装置における先行空気調和の実行のための制御では、ホテルフロントでの本人又はフロント係員を含む他人の入力操作（バーコード等のデータ読み取りも含む）を経て、チェックインが成立すると、このチェックインの事実を確定情報として利用して、中央制御部９０から制御部８０に先行空調指示情報を送信するようにしているが、この他、確定情報の生成に係り入力操作を必要としない手法でもかまわない。例えば、人が外から建物に入る（又は建物の検出可能領域内に入る）と同時に、無線タグや顔画像解析等による個人認識を経て、あらかじめデータベースに登録されたその人の建物内の特定の部屋に関連付けられた内容情報（予約済、宿泊中、一時又は長期の住居として契約中、部屋を使用する会員として登録済、など）を自動的に識別可能としていれば、この識別完了の事実を外部制御手段で確定情報として利用して、制御部に先行空調指示情報を送信し、部屋の室内空間への先行空気調和を実行することができる。
【符号の説明】
【０１７６】
１              吹出口装置
１０            吹出口本体
１１、１２      開口
１３            額縁部
２０            シャッター部
２１            固定部
２２            可動部
２３            駆動部
２４            突出片
２５            開放部分
３０            案内羽根
３１            駆動部
３２            アーム
３３            連結板
４０            仕切り部
４１            傾斜部分
５０            抵抗体
５１            貫通孔
６０            天井
６１            ダクト
６５            下がり天井部
７０            室内空間
８０            制御部
８１            操作スイッチ
８２、８３      センサ
９０            中央制御部
１００          客室管理システム
１１０          セキュリティシステム
２００          空調機
【図１】
2019070451.tif 000003
【図２】
2019070451.tif 000004
【図３】
2019070451.tif 000005
【図４】
2019070451.tif 000006
【図５】
2019070451.tif 000007
【図６】
2019070451.tif 000008
【図７】
2019070451.tif 000009
【図８】
2019070451.tif 000010
【図９】
2019070451.tif 000011
【図１０】
2019070451.tif 000012
【図１１】
2019070451.tif 000013
【図１２】
2019070451.tif 000014
【図１３】
2019070451.tif 000015
【図１４】
2019070451.tif 000016
【図１５】
2019070451.tif 000017
【図１６】
2019070451.tif 000018
【図１７】
2019070451.tif 000019
【図１８】
2019070451.tif 000020
【図１９】
2019070451.tif 000021
【図２０】
2019070451.tif 000022
【図２１】
2019070451.tif 000023
【図２２】
2019070451.tif 000024
【図２３】
2019070451.tif 000025
【図２４】
2019070451.tif 000026
【図２５】
2019070451.tif 000027